【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
食品廃棄物ディスポーザを操作するための方法であって、
食品廃棄物ディスポーザの回転シュレッダプレートが詰まっているかどうかを自動的に決定し、シュレッダプレートが詰まっていることを決定したとき、少なくとも１回シュレッダプレートの回転方向を自動的に逆転することによって、食品廃棄物ディスポーザを第１の詰り排除モードで操作すること、
シュレッダプレートが、第１の詰り排除モードでの食品廃棄物ディスポーザの操作によって詰りが排除されたかどうかを自動的に決定すること、および
詰りが排除されていない場合には、シュレッダプレートに脈動トルクを自動的に加えることによって、食品廃棄物ディスポーザを第２の詰り排除モードで操作することを含む方法。
【請求項２】
シュレッダプレートに脈動トルクを加えることは、シュレッダプレートを駆動するモータの通常の始動トルクの少なくとも２倍である脈動トルクを加えることを含む、請求項１に記載の方法。
【請求項３】
シュレッダプレートが詰まっているかどうかを自動的に決定することは、シュレッダプレートの速度が、所定の時間期間中に所定の速度に達していない場合に、シュレッダプレートが詰まっていることを決定することを含む、請求項１に記載の方法。
【請求項４】
シュレッダプレートが詰まっているかどうかを自動的に決定することは、シュレッダプレートの速度が、所定の速度未満に落ちている場合に、シュレッダプレートが詰まっていることを決定することを含む、請求項１に記載の方法。
【請求項５】
脈動トルクが所定の時間期間の間加えられる、請求項１に記載の方法。
【請求項６】
シュレッダプレートが詰まっているかどうかを自動的に決定することが、シュレッダプレートを駆動するモータの巻線における電流を監視することと、電流が所定のレベル未満ではない場合に、シュレッダプレートが詰まっていること決定することとを含む、請求項１に記載の方法。
【請求項７】
巻線を監視することが、モータのラン巻線を監視することを含む、請求項６に記載の方法。
【請求項８】
巻線を監視することが、モータの始動巻線を監視することを含む、請求項６に記載の方法。
【請求項９】
食品廃棄物ディスポーザの初期始動時に詰りが決定された場合には、シュレッダプレートの回転方向を逆転することが、モータの始動巻線に通電することを含む、請求項１に記載の方法。
【請求項１０】
脈動トルクを加えることが、ＳＣＲを作動することを含む、請求項１に記載の方法。
【請求項１１】
ＳＣＲが、正または負の半サイクルの１つの間に作動される、請求項１０に記載の方法。
【請求項１２】
シャフトを駆動するモータと、
食品廃棄物をすりつぶすためにシャフトによって回転されるシュレッダプレートと、
モータに結合される制御装置とを含み、該制御装置が、シュレッダプレートが詰まっているかどうかを自動的に決定し、詰りに応答して、制御装置が、シュレッダプレートの回転方向を自動的に逆転するために、少なくとも１回モータの回転方向を自動的に逆転する第１の詰り排除モードで、食品廃棄物ディスポーザを操作し、制御装置は、シュレッダプレートが、第１の詰り排除モードでの食品廃棄物ディスポーザの操作によって詰りが排除されたかどうかを自動的に決定し、かつ詰りが排除されていない場合には、制御装置は、シュレッダプレートに脈動トルクを加えるためにモータを自動的に脈動させることによる第２の詰り排除モードで、食品廃棄物ディスポーザを自動的に操作する、食品廃棄物ディスポーザ。
【請求項１３】
制御装置が、モータの通常の始動トルクの少なくとも２倍である脈動トルクを加えるようにモータを脈動させる、請求項１２に記載の食品廃棄物ディスポーザ。
【請求項１４】
制御装置が、シュレッダプレートの速度を監視して、シュレッダプレートが詰まっているかどうかを決定する、請求項１２に記載の食品廃棄物ディスポーザ。
【請求項１５】
制御装置は、シュレッダプレートの速度が、所定の時間期間中に所定の速度に達しない場合に、シュレッダプレートが詰まったことを決定する、請求項１４に記載の食品廃棄物ディスポーザ。
【請求項１６】
制御装置は、シュレッダプレートの速度が、所定の速度未満に落ちた場合に、シュレッダプレートが詰まったことを決定する、請求項１４に記載の食品廃棄物ディスポーザ。
【請求項１７】
制御装置が、所定の時間期間の間脈動トルクを加える、請求項１２に記載の食品廃棄物ディスポーザ。
【請求項１８】
モータがラン巻線を含み、制御装置が、ラン巻線における電流を監視して、シュレッダプレートが詰まっているかどうかを決定し、ラン巻線における電流が所定のレベル未満ではない場合に、シュレッダプレートが詰まっていること決定する、請求項１２に記載の食品廃棄物ディスポーザ。
【請求項１９】
モータが始動巻線を含み、制御装置が、始動巻線における電流を監視して、シュレッダプレートが詰まっているかどうかを決定し、電流が所定のレベル未満ではない場合に、回転するシュレッダプレートが詰まっていること決定する、請求項１２に記載の食品廃棄物ディスポーザ。
【請求項２０】
ＳＣＲをさらに含み、制御装置が、ＳＣＲを作動して脈動トルクを発生させる、請求項１２に記載の食品廃棄物ディスポーザ。
【請求項２１】
モータが始動巻線を含み、ＳＣＲが始動巻線に並列に接続される、請求項１９に記載の食品廃棄物ディスポーザ。
【請求項２２】
始動巻線に直列に接続された始動コンデンサをさらに含む、請求項２０に記載の食品廃棄物ディスポーザ。
【請求項２３】
ＳＣＲのゲート端子に接続された発振器をさらに含む、請求項１９に記載の食品廃棄物ディスポーザ。
【請求項２４】
シュレッダプレートが、該シュレッダプレートに取り付けられた複数の突起を含む、請求項１２に記載の食品廃棄物ディスポーザ。
【請求項２５】
モータが、誘導モータである、請求項１２に記載の食品廃棄物ディスポーザ。
【請求項２６】
モータが、ブラシレス永久磁石モータである、請求項１２に記載の食品廃棄物ディスポーザ。
【請求項２７】
モータが、直流モータである、請求項１２に記載の食品廃棄物ディスポーザ。
【請求項２８】
食品廃棄物ディスポーザを操作するための方法であって、
食品廃棄物ディスポーザの回転するシュレッダプレートが詰まっているかどうかを自動的に決定すること、
シュレッダプレートが詰まっていると決定されたとき、シュレッダプレートの回転方向を自動的に逆転すること、および
シュレッダプレートに脈動トルクを加えることを含む方法。
【請求項２９】
シュレッダプレートに脈動トルクを加えることは、シュレッダプレートを駆動するモータの通常の始動トルクの少なくとも２倍である脈動トルクを加えることを含む、請求項２８に記載の方法。
【請求項３０】
シュレッダプレートが詰まっているかどうかを自動的に決定することは、シュレッダプレートの速度が、所定の時間期間中に所定の速度に達していない場合に、シュレッダプレートが詰まっていることを決定することを含む、請求項２８に記載の方法。
【請求項３１】
シュレッダプレートが詰まっているかどうかを自動的に決定することは、シュレッダプレートの速度が、所定の速度未満に落ちている場合に、シュレッダプレートが詰まっていることを決定することを含む、請求項２８に記載の方法。
【請求項３２】
脈動トルクが、所定の時間期間の間加えられる、請求項２８に記載の方法。
【請求項３３】
シュレッダプレートが詰まっているかどうかを自動的に決定することが、シュレッダプレートを駆動するモータの巻線を監視することを含む、請求項２８に記載の方法。
【請求項３４】
巻線を監視することが、ラン巻線を監視することを含む、請求項３３に記載の方法。
【請求項３５】
巻線を監視することが、始動巻線を監視することを含む、請求項３３に記載の方法。
【請求項３６】
回転部材の初期始動時に詰りが検出された場合に、シュレッダプレートの回転方向を逆転させることが、モータの始動巻線に通電することを含む、請求項２８に記載の方法。
【請求項３７】
脈動トルクを加えることが、ＳＣＲを作動することを含む、請求項２８に記載の方法。
【請求項３８】
ＳＣＲが、正または負の半サイクルの１つの間に作動される、請求項３７に記載の方法。
【請求項３９】
食品廃棄物ディスポーザであって、
シャフトを駆動するモータと、
食品廃棄物をすりつぶすためにシャフトによって回転されるシュレッダプレートと、
モータに結合される制御装置とを含み、該制御装置が、シュレッダプレートが詰まっているかどうかを決定し、詰りに応答して、制御装置が、シュレッダプレートの回転方向を逆転するためにモータの回転方向を逆転し、かつシュレッダプレートに脈動トルクを加えるためにモータを脈動させる、食品廃棄物ディスポーザ。
【請求項４０】
制御装置が、モータの通常の始動トルクの少なくとも２倍である脈動トルクを加えるようにモータを脈動させる、請求項３９に記載の食品廃棄物ディスポーザ。
【請求項４１】
制御装置は、シュレッダプレートの速度が、所定の時間期間中に所定の速度に達しない場合に、シュレッダプレートが詰まったことを決定する、請求項３９に記載の食品廃棄物ディスポーザ。
【請求項４２】
制御装置は、シュレッダプレートの速度が、所定の速度未満に落ちた場合に、シュレッダプレートが詰まったことを決定する、請求項３９に記載の食品廃棄物ディスポーザ。
【請求項４３】
制御装置が、脈動トルクを所定の時間期間の間加える、請求項３９に記載の食品廃棄物ディスポーザ。
【請求項４４】
モータがラン巻線を含み、制御装置が、ラン巻線を監視して、シュレッダプレートが詰まっているかどうかを決定する、請求項３９に記載の食品廃棄物ディスポーザ。
【請求項４５】
制御装置が、ラン巻線における電流を監視する、請求項３９に記載の食品廃棄物ディスポーザ。
【請求項４６】
モータが始動巻線を含み、制御装置が、始動巻線を監視して、シュレッダプレートが詰まっているかどうかを決定する、請求項３９に記載の食品廃棄物ディスポーザ。
【請求項４７】
制御装置が、ＳＣＲを作動して脈動トルクを加える、請求項３９に記載の食品廃棄物ディスポーザ。
【請求項４８】
制御装置が、ＳＣＲを正または負の半サイクルの１つの間に作動する、請求項４７に記載の食品廃棄物ディスポーザ。
【請求項４９】
モータが、誘導モータである、請求項３９に記載の食品廃棄物ディスポーザ。
【請求項５０】
モータが、ブラシレス永久磁石モータである、請求項３９に記載の食品廃棄物ディスポーザ。
【請求項５１】
モータが、直流モータである、請求項３９に記載の食品廃棄物ディスポーザ。